(57)【要約】      （修正有）【課題】地紙本来の材質感や高級感を損なわず、優れた紫外線遮蔽効果を発揮する団扇を提供する。【解決手段】団扇１は、風を起こす扇面に放射状に分岐した複数の骨３１を有する骨組と、骨組の表側および裏側を覆うシートと、表側のシート４１および裏側のシート４２の少なくとも一方と、骨組との間には、少なくとも１層の遮光層５と、を備える。また、遮光層５は、シートが骨組と接触する面の全体に白色インクを印刷して形成される印刷層である。【選択図】図２
0003225321.tif 000002
【実用新案登録請求の範囲】
【請求項１】
風を起こす扇面に放射状に分岐した複数の骨を有する骨組と、
前記骨組の表側および裏側を覆うシートと、
前記表側のシートおよび前記裏側のシートの少なくとも一方と、前記骨組との間には、少なくとも１層の遮光層と、を備える団扇。
【請求項２】
前記遮光層は、印刷層である、請求項１に記載の団扇。
【請求項３】
前記印刷層は、前記シートが前記骨組と接触する面の全体に白色インクを印刷して形成される、請求項２に記載の団扇。
【請求項４】
前記表側のシートおよび前記裏側のシートの一方は布であり、他方は和紙であり、
前記遮光層は、前記和紙と、前記骨組との間に設けられる、請求項１〜３のいずれかに記載の団扇。
【請求項５】
積層された２層の前記遮光層を有する、請求項１〜４のいずれかに記載の団扇。
【考案の詳細な説明】
【技術分野】
【０００１】
本考案は、団扇に関する。
【背景技術】
【０００２】
近年、健康や美容等の観点から、紫外線による皮膚への影響に対する消費者の関心が高まっており、外出時の簡便な日焼け防止アイテムとして、紫外線遮蔽効果のある団扇が提案されている（例えば、特許文献１参照）。
【先行技術文献】
【特許文献】
【０００３】
【特許文献１】特開２００１−１２０３２２号公報
【考案の概要】
【考案が解決しようとする課題】
【０００４】
特許文献１に記載の団扇は、団扇表面の地紙に紫外線遮断効果のあるフォトクロミックインクを塗布している。しかし、地紙の表面に紫外線遮蔽加工（例えば、紫外線遮蔽効果のある塗料を塗布する等）を行うと、地紙の材質感や高級感を損なう虞があった。
【０００５】
本考案はこのような事情を考慮してなされたもので、地紙本来の材質感や高級感を損なわず、優れた紫外線遮蔽効果を有する団扇を提供することを目的とする。
【課題を解決するための手段】
【０００６】
本考案に係る団扇は、上述した課題を解決するために、風を起こす扇面に放射状に分岐した複数の骨を有する骨組と、前記骨組の表側および裏側を覆うシートと、前記表側のシートおよび前記裏側のシートの少なくとも一方と、前記骨組との間には、少なくとも1層の遮光層と、を備える。
【考案の効果】
【０００７】
本考案に係る団扇は、地紙本来の材質感や高級感を損なわず、優れた紫外線遮蔽効果を発揮することができる。
【図面の簡単な説明】
【０００８】
【図１】本考案の実施形態に係る団扇の正面を示す図。
【図２】本考案の実施形態に係る団扇のII−II線に沿った断面の拡大図。
【考案を実施するための形態】
【０００９】
本考案に係る団扇の一実施形態を添付図面に基づいて説明する。
【００１０】
図１は、本考案の実施形態に係る団扇１の正面を示す図である。図２は、本考案の実施形態に係る団扇１のII−II線に沿った断面の拡大図である。本実施形態に係る団扇１は、骨組３と、シート４と、遮光層５と、を備える。
【００１１】
図１において、団扇１は、手で持つための柄２と、柄２の先端部に接続されて風を起こすための扇面と、を備え、扇面は、柄２に連結する骨組３と、骨組３の表側および裏側を覆うシート４と、を有する。柄２は、図１において偏平な平柄であるが、棒状の丸柄であってもよい。また、本実施形態において柄２は、骨３１と一体的に形成されているが、柄２と骨３１を別体として、差し柄としてもよいし、柄２を設けない構成としてもよい。
【００１２】
骨組３は、骨３１と、弓部３２と、編み糸部３３と、から構成される。骨３１は、柄２の先端から放射状に広がり、弓部３２は、骨３１の鉛直下方向に位置し、柄２の先端付近から左右に湾曲して伸びる。編み糸部３３は、円弧状の形状を有し、左右の弓部３２、３２の端部を連結する。本実施形態において、骨３１および弓部３２は竹から形成されるが、素材は特に限定されるものではない。
【００１３】
シート４は、骨組３の表側を覆う表側のシート４１と、骨組３の裏側を覆う裏側のシート４２と、から構成される。図１においては、編み糸部３３より上の骨３１を全体的に覆うように、骨３１の表側と裏側のそれぞれに表側のシート４１と裏側のシート４２とを貼り合わせている。しかし、張り合わせの態様は特に限定されるわけではなく、例えば、骨組３の全体をシート４で覆う構成としてもよい。
【００１４】
シート４の素材は、表側のシート４１と裏側のシート４２とで、それぞれ異なっていても、同一でもよい。素材としては、意匠性を高める観点から、布や和紙を用いることが好ましく、表側のシート４１および裏側のシート４２のいずれか一方を布とし、他方を和紙とする構成が特に好ましい。和紙の紫外線遮蔽率は通常の布に比べて高いことから、布と和紙を組み合わせることで、団扇１の意匠性を高めつつ、紫外線遮蔽効果を高めることができるからである。シート４の素材や、模様、色等の有無は特に限定されず、自由に選択することができる。
【００１５】
遮光層５は、表側のシート４１および裏側のシート４２の少なくとも一方と、骨組３との間に設けられる。図２においては、１層の遮光層５が、裏側のシート４２と骨３１との間に設けられているが、遮光層５が設けられる位置や数は特に限定されるものではない。例えば、表側のシート４１と、骨３１との間に２層の遮光層５が設けられてもよいし、表側のシート４１および裏側のシート４２と、骨３１との間にそれぞれ１層ずつ設けられてもよい。
【００１６】
遮光層５は、シート４が骨３１と接触する面の全体にインクを印刷することにより形成される。本実施形態において遮光層５は、製造工程の簡素化や製造コストの低減を図る目的で白色インクをオフセット印刷により印刷して形成される印刷層である。しかし、インクの色や印刷方法は、特に限定されるものではなく、例えば、シルク印刷により印刷して形成することもできる。また、紫外線遮蔽効果のある薬剤を塗布することにより遮光層５を形成することもできる。オフセット印刷により、シート４にインクを印刷する場合には、製造コストと団扇１の見栄えの観点から、和紙にインクを印刷することが好ましい。
【００１７】
本考案の団扇は上記実施形態に限定されず、本考案の主旨を逸脱しない範囲において、種々の改良や変更を行うことができる。
【実施例】
【００１８】
次に本考案の実施例および比較例を説明するが、本考案はこれらによって限定されるものではない。なお、実施例中の紫外線遮蔽率はＪＩＳ  Ｌ  １９２５に基づく方法で算出した。
【００１９】
＜実施例１＞
表側のシート４１として手ぬぐい（綿１００％の平織り布）を用い、裏側のシート４２として和紙（楮を主成分として含むもの）を用いた。遮光層５は、裏側のシート４２と、骨３１との間に１層設ける構成とし、裏側のシート４２が骨３１と接触する面の全体にオフセット印刷により白インクを印刷した。骨３１の表側と裏側のそれぞれに表側のシート４１と裏側のシート４２とを貼り合わせた。作成した団扇１の紫外線遮蔽率は、９９．８％であった。
【００２０】
＜実施例２＞
表側のシート４１として実施例１と同一の手ぬぐいを用い、裏側のシート４２として実施例１と同一の和紙を用いた。遮光層５は、実施例１と同一の方法により裏側のシート４２と、骨３１との間に２層設ける構成とし、骨３１の表側と裏側のそれぞれに表側のシート４１と裏側のシート４２とを貼り合わせた。作成した団扇１の紫外線遮蔽率は、９９．９％以上であった。
【００２１】
＜比較例＞
表側のシート４１および裏側のシート４２として、いずれも実施例１と同一の和紙を用いた。遮光層５を設けずに、骨３１の表側と裏側のそれぞれに表側のシート４１と裏側のシート４２とを貼り合わせた。作成した団扇の紫外線遮蔽率は、９８．５％であった。
【００２２】
遮光層５を有する実施例１および２の団扇１は、遮光層５を有しない比較例の団扇と比較して紫外線遮蔽率が優れていた。また、２層の遮光層５を有する実施例２の紫外線遮蔽率がより高いことから、遮光層５が紫外線遮蔽率の向上に寄与していると推定される。
【符号の説明】
【００２３】
１  団扇
２  柄
３  骨組
４  シート
５  遮光層
３１  骨
３２  弓部
【図１】
0003225321.tif 000003
【図２】
0003225321.tif 000004